(57)【要約】本発明は、衣服における使用のための可変抵抗器を対象とする。可変抵抗器は、溝を有する。導電領域が、溝の内壁に配置される。溝中に、導電対象物があり、導電領域と接触する。導電対象物は、溝内を移動し、可変抵抗を提供する。一実施例において、溝は、衣服の布内にまで延在する。別の実施例において、溝は、衣服の引紐内まで延在する。さらに、導電領域は、内壁へ織込まれた導電性繊維を有する。
2006529056.tif 000002
【特許請求の範囲】
【請求項１】
溝と；
前記溝の内壁に配置される導電領域と；
前記導電領域と接触する、前記溝中の導電対象物と、を有し、前記導電対象物は前記溝内を移動して、可変抵抗を提供すること、を特徴とする衣服。
【請求項２】
前記溝は、前記衣服の布内に延在すること、を特徴とする請求項１記載の衣服。
【請求項３】
前記溝は、衣服の引紐内に延在すること、を特徴とする請求項１記載の衣服。
【請求項４】
前記導電領域は、前記内壁へ織込まれる導電性繊維を有すること、を特徴とする請求項１記載の衣服。
【請求項５】
前記導電対象物が、前記溝の直径よりも大きな直径を有すること、を特徴とする請求項１記載の衣服。
【請求項６】
電気装置が、前記導電領域に接続されていること、を特徴とする請求項１記載の衣服。
【請求項７】
溝と；
前記溝の内壁に配置される導電領域と；
前記導電領域と接触する、前記溝中の導電対象物と、を有し、前記導電対象物は前記溝内を移動して、可変抵抗を提供すること、を特徴とする衣服における使用のための可変抵抗器。
【請求項８】
前記溝は、布内に延在すること、を特徴とする請求項７記載の装置。
【請求項９】
前記溝は、引紐内に延在すること、を特徴とする請求項７記載の装置。
【請求項１０】
前記導電領域は、前記内壁へ織込まれた導電性繊維を有すること、を特徴とする請求項７記載の装置。
【請求項１１】
前記導電対象物は、前記溝の直径よりも大きな直径を有すること、を特徴とする請求項７記載の装置。
【請求項１２】
電気装置が、前記導電領域に接続されていること、を特徴とする請求項７記載の装置。
【請求項１３】
衣服内に溝を形成し；
前記溝の内壁に導電領域を形成し；
前記溝中に、前記導電領域と接触する導電対象物を設けること、を特徴とする衣服における可変抵抗器を製造する方法。
【請求項１４】
前記溝は、前記衣服の布内に形成されること、を特徴とする請求項１３記載の衣服。
【請求項１５】
前記溝は、引紐内に形成されること、を特徴とする請求項１３記載の方法。
【請求項１６】
前記導電領域は、前記内壁に織込まれた導電性繊維を有すること、を特徴とする請求項１３記載の方法。
【請求項１７】
前記導電対象物は、前記溝の直径よりも大きな直径を有すること、を特徴とする請求項１３記載の方法。
【発明の詳細な説明】
【技術分野】
【０００１】
本発明は、概して装着可能な電子技術に係り、より詳細には、装着可能な電子アプリケーションにおける電子装置の制御のための、可変抵抗器装置に関する。
【背景技術】
【０００２】
装着可能な電子技術は、電子製品を、繊維および衣服と統合することに関係している。その例として、携帯用ステレオ、心拍監視装置、バイオフィードバック・センサー、電話の受話器、データライン接続、マイクロプロセッサ、電子構成要素などがある。これらの装置のいくつかは、照明のための減光スイッチまたはオーディオのための音量制御などの可変抵抗器を制御装置として使用する。
【発明の開示】
【発明が解決しようとする課題】
【０００３】
しかし、可変抵抗器は、通常、衣服に使用される材料とは異なる材料から製造される。さらに、可変抵抗器を製造するための技術も、衣服を製造するための技術とは異なる。従って、衣服製造技術および材料に、簡単に適合できる可変抵抗装置の必要性がある。
【課題を解決するための手段】
【０００４】
本発明は、衣服における使用のための可変抵抗器を対象とする。可変抵抗器は、溝（管）を有する。導電領域が、溝の内壁に配置される。導電対象物が、溝中にあり、導電領域と接触する。導電対象物は、溝中を移動し、可変抵抗を提供する。一実施例において、溝は、衣服の布内に延在する。別の実施例では、溝は、衣服の引紐内まで延在する。さらに、導電領域は、内壁へ織込まれた導電性繊維を有する。
【０００５】
本発明はまた、衣服内に可変抵抗器を製造するための方法を対象とする。その方法は、衣服内に形成された溝を有する。導電領域が、溝の内壁に形成される。導電対象物が、溝中に配置され、導電領域と接触する。一実施例において、溝は、衣服の布内に形成される。別の実施例において、溝は、衣服の引紐内に形成される。さらに、導電領域は、内壁へ織込まれた導電性繊維を有する。
【発明を実施するための最良の形態】
【０００６】
ここで、図面を参照するが、参照符合は、以下の説明の対応部分を表す。
【実施例】
【０００７】
本発明に係る装着可能な可変抵抗器を有する衣服の一実施例を図１に示す。図示の如く、本実施例の衣服はシャツ２である。本発明によると、衣服２は、電子装置を制御するのに使用できる可変抵抗装置４を含む。例えば、可変抵抗装置４は、オーディオ装置の音量制御または照明装置のディマーであってもよい。
【０００８】
図示の如く、可変抵抗器４は、衣服２へ組込まれている溝６を有する。本実施例において、溝６は、衣服２の右肩から右側の中央に延在するのが示されている。しかし、他の配置も考慮される。例えば、溝６は、もう一方の肩から、対角線上に衣服の前部分を延びてもよく、水平に衣服の上・中・下部に延在してもよい。
【０００９】
さらなる図示の如く、導電対象物８が、溝６に内包される。動作中に、導電対象物８は、装置の抵抗を変更するために、溝６の中を移動する。これに関しては、以下により詳細に説明する。
【００１０】
図１の実施例における溝の横断面図が、図２に示される。本実施例では、溝６は、衣服２の布内に組込まれている。図示の如く、布が、溝６を形成するために、二層に分かれている。溝６は、２つの別の繊維の層を統合して形成されてもよい。
【００１１】
代替的に、溝６が、布自体に織込まれてもよい。これは、円形または平台型の編機によってなし得る。両種の機械は、前針および後針を有し、１つの層のニット構造を形成するために共に稼動する。これら２本の針が離されれば、２つの層が形成される。従って、溝を形成するには、溝が所望される衣服の位置において、２本の針が離されることになる。円形編機の一例が、Ｓａｎｔｏｎｉ社によって製造されており、平台型の編機の一例が、Ｓｔｏｌｌ社によって製造されている。
【００１２】
図１の実施例における溝の内部図が、図３に示される。図示の如く、溝６の内壁は、導電領域１０、１２を有する。導電領域１０、１２は、好ましくは、ステンレス・スチールまたは銀メッキした合成繊維などの導電性繊維から製造される。また好ましくは、導電領域１０、１２は、溝６の内壁へ残りの衣服と共に織込まれる。
【００１３】
さらに図示の如く、導電対象物８が、溝６に配置されており、２つの導電領域１２に接触している。導電対象物８は、電気装置に繋がれたときに、導電領域１０および１２との間に電流が流れるようにする。従って、導電対象物８が溝６内を移動するとき、回路中に内包される導電領域１０、１２の領域が、可変抵抗を提供しながら変化する。
【００１４】
導電対象物８は、溝６内を自由に移動できるよう球形または楕円形（弾丸状）の形を有するのが好ましい。また、導電対象物８の直径は、溝６のそれよりも大きいこともまた好ましい。これは、導電対象物８が、導電領域１０、１２と接触し続けることを確実にする。また、より大きな直径を有することは、導電対象物８が移動中でないときに、溝６内に留まれるようにする。
【００１５】
動作中、図３に示すように、電気装置２２が、導電領域１０、１２に接続される。電気装置２２は、携帯用ステレオ、ＭＰ３プレーヤー、照明装置、ラジオ局チューナーであってよい。装置の抵抗を変更するために、ユーザは、溝６の外側の導電対象物８が位置する場所を絞る。本実施例において、導電対象物８が、溝６内の上方へ移動すると、回路に内包される導電領域１０、１２がより少なくなるため、抵抗が減少する。さらに、導電対象物８が、溝６内の下方へ移動すると、回路に内包される導電領域１０、１２がより多くなるため、抵抗が増大する。
【００１６】
本発明に係る装着可能な可変抵抗器を有する衣服の別の実施例を図４に示す。本実施例において、衣服はジャケットである。さらに、本実施例では、２つの可変抵抗器４が、衣服１４の引紐１６に組込まれている。
【００１７】
本発明に係る装着可能な可変抵抗器を有する衣服の別の実施例を図５に示す。本実施例において、衣服１８はズボンであり、可変抵抗器４はまた、引紐２０に組込まれている。
【００１８】
図４および５の実施例にある引紐の内部図を図６に示す。図示の如く、引紐１６、２０の内部構造は、第一実施例の構造と類似している。引紐１６、２０は、空洞管状の構造を有しており、溝６をまた有する。引紐１６、２０は、好ましくは円形の編機と同様に動作する組機で編むことによって製造される。引紐１６、２０は、コットン、ライクラ、アクリルなどの広範囲にわたる天然および合成の織物繊維から組まれてよい。
【００１９】
図示の如く、溝６の内壁は、２つの導電領域１０、１２を有する。導電領域１０、１２は、好ましくは、ステンレス・スチールまたは銀メッキした合成繊維などの導電性ファイバーから製造される。さらに、導電対象物８はまた、溝６中に配置され、２つの導電領域１２と接触する。導電対象物８は、球形または楕円形（弾丸状）の形を有し、その直径は、溝６のそれよりも大きいことが好ましい。
【００２０】
動作中、図６に示すように、電気装置が、導電領域１０、１２に接続されている。装置の抵抗を変更するために、ユーザは、溝６の外側の導電対象物８が位置する場所を絞る。本実施例において、導電対象物８が、溝６内の上方へ移動すると、回路に内包される導電領域１０、１２がより少なくなるため、抵抗が減少する。さらに、導電対象物８が、溝６内の下方へ移動すると、回路に内包される導電領域１０、１２がより多くなるため、抵抗が増大する。
【００２１】
本発明の記載は、例証および説明の目的のために提示されている。本発明は、開示した詳細な構造または構成に制限される意図ではない。上記の開示の観点から、多くの修正および多様性が可能である。従って、本発明の権利範囲は、詳細な説明によって制限される意図ではない。
【図面の簡単な説明】
【００２２】
【図１】本発明に係る装着可能な可変抵抗器を有する衣服の一実施例である。
【図２】図１の実施例における溝の横断面図である。
【図３】図１の実施例における溝の内部図である。
【図４】本発明に係る装着可能な可変抵抗器を有する衣服の別の実施例である。
【図５】本発明に係る装着可能な可変抵抗器を有する衣服の別の実施例である。
【図６】図４および５の実施例における引紐の内部図である。
【図１】
2006529056.tif 000003
【図２】
2006529056.tif 000004
【図３】
2006529056.tif 000005
【図４】
2006529056.tif 000006
【図５】
2006529056.tif 000007
【図６】
2006529056.tif 000008
【国際調査報告】
2006529056.tif 000009
2006529056.tif 000010